(57)【特許請求の範囲】
【請求項１】
魚釣りに用いる釣竿であって、
リールを装着可能なリールシートを竿元側外周面に有する筒状の竿体と、
前記リールシートの穂先側に隣接する前記竿体の外周面に配置され、軸方向に移動自在でありかつ前記竿体の軸方向の任意の箇所に固定可能なパイプ状のグリップとを備え、
前記竿体の外周面には複数の凹部が軸方向に並んで形成され、
前記グリップは、本体部と、前記複数の凹部に係止可能な係止部と、前記係止部を前記複数の凹部に係止及び係止解除するための操作部とを有し、
前記操作部は、前記本体部に形成された孔内に径方向に移動自在に配置され、
前記係止部は、前記本体部内周面に回動自在に装着される回動支持部と、前記回動支持部より穂先側に形成されるとともに前記操作部の前記竿体側に配置された先端部と、前記回動支持部の竿元側に前記複数の凹部に係止可能に形成された後端部とを有し、
前記係止部の後端部を前記複数の凹部側に付勢するための付勢部材をさらに備えた釣竿。
【請求項２】
魚釣りに用いる釣竿であって、
リールを装着可能なリールシートを竿元側外周面に有する筒状の竿体と、
前記リールシートの穂先側に隣接する前記竿体の外周面に配置され、軸方向に移動自在でありかつ前記竿体の軸方向の任意の箇所に固定可能なパイプ状のグリップとを備え、
前記竿体の外周面には複数の凹部が軸方向に並んで形成され、前記グリップは前記複数の凹部に係止可能な係止部を有し、
前記係止部は前記グリップの内周面に周方向に異なる位置に複数箇所に形成されている釣竿。
【請求項３】
前記係止部は弾性部材で形成されている、請求項２に記載の釣竿。
【発明の詳細な説明】
【０００１】
【発明の属する技術分野】
本発明は、釣竿、特に、竿体の手元側を握るためのグリップを備えた釣竿に関する。
【０００２】
【従来の技術】
釣竿は、一般的に、釣り人が竿体の手元側を両手で握るためのフロントグリップ及びリアグリップを有している。フロントグリップは、リールを装着可能なリールシートの穂先側に隣接する竿体外周面に設けられている。リアグリップは竿体の手元側端部に設けられている。
【０００３】
この釣竿により、例えばポンピング等を行う場合は、竿尻を腹等にあてて一方の手でフロントグリップを把持するとともに、竿尻を中心としてフロントグリップを把持した手で竿全体を上下に振る。これにより、釣り人は釣竿の重心のバランスをとりながら竿全体を振ることができる。
【０００４】
【発明が解決しようとする課題】
竿の持ち方や振り方は釣り人によって異なり、また釣り人の身長や腕の長さ等にも個人差があるため、ポンピング等の諸動作を行う場合の最適な把持位置は釣り人ごとに異なる。
しかし、前記従来の釣竿では、フロントグリップは竿体に対し固定されているため、その釣り人にとって最適な把持位置とフロントグリップの固定された位置とにずれがある場合、釣り人はポンピング等の諸動作を快適に行うことができない。
【０００５】
本発明の目的は、釣り人の好みに応じてフロントグリップを所望の位置に移動させることにある。
【０００６】
【課題を解決するための手段】
発明１に係る釣竿は、魚釣りに用いるものであって、竿体とグリップとを備えている。竿体は、リールを装着可能なリールシートを竿元側外周面に有する筒状のものである。グリップは、リールシートの穂先側に隣接する竿体の外周面に配置され、軸方向に移動自在でありかつ竿体の軸方向の任意の箇所に固定可能なパイプ状のものである。竿体の外周面には複数の凹部が軸方向に並んで形成されている。グリップは、本体部と、複数の凹部に係止可能な係止部と、係止部を複数の凹部に係止及び係止解除するための操作部とをさらに有している。操作部は本体部に形成された孔内に径方向に移動自在に配置されている。係止部は、本体部内周面に回動自在に装着される回動支持部と、回動支持部より穂先側に形成されるとともに操作部の竿体側に配置された先端部と、回動支持部の竿元側に複数の凹部に係止可能に形成された後端部とを有している。また、この釣竿は、係止部の後端部を複数の凹部側に付勢するための付勢部材をさらに備えている。
【０００７】
この釣竿では、グリップが竿体に対し軸方向に移動可能なため、釣り人の好みに応じてグリップを竿体に対し移動させることができる。また、グリップは竿体の任意の箇所に固定可能なため、釣り人の好みの位置でグリップを竿体に固定することができる。
【０００８】
この釣竿では、係止部が凹部に係止することにより、グリップが竿体に固定される。
【００１０】
この釣竿では、係止解除状態では、係止部の端部は凹部から離れている。この状態から操作部により係止状態にされると、係止部の先端部が径方向に移動して凹部に係止される。
【００１４】
この釣竿では、グリップは、係止部の後端部が付勢部材に付勢されて凹部に係止されることで竿体に固定されている。この状態から、グリップを竿体に対し軸方向に移動させる場合は、操作部を竿体側に押す。すると、係止部の後端部が付勢部材の付勢力に抗して回動して凹部から離れる。これにより、グリップは竿体に対し移動可能となる。そして、操作部を押した状態でグリップを所望の位置まで移動させ、操作部を離すと、係止部材が付勢部材の付勢力を受けて回動して再度凹部に係止される。これにより、グリップを所望の位置に固定することができる。
【００１５】
ここでは、釣り人は、簡単な操作で、迅速かつ容易にグリップを所望の位置に固定することができる。
発明２に係る釣竿は、魚釣りに用いるものであって、竿体とグリップとを備えている。竿体は、リールを装着可能なリールシートを竿元側外周面に有する筒状のものである。グリップは、リールシートの穂先側に隣接する竿体の外周面に配置され、軸方向に移動自在でありかつ竿体の軸方向の任意の箇所に固定可能なパイプ状のものである。竿体の外周面には複数の凹部が軸方向に並んで形成され、グリップは複数の凹部に係止可能な係止部を有している。係止部はグリップの内周面に周方向に異なる位置に複数箇所に形成されている。この釣竿では、係止部は異なる周方向位置で竿体に係止するため、グリップと竿体とは径方向に位置決めされる。
【００１６】
発明３に係る釣竿は、発明２の釣竿において、係止部は弾性部材で形成されている。この釣竿では、係止状態では、係止部が凹部に係止することによりグリップが凹部内に配置されている。この状態でグリップに軸方向から力を加えると、係止部が弾性変形して凹部から外れるため、グリップは竿体に対し移動可能となる。そして、グリップに力を加えるのを止めると、係止部は、凹部に係止されまたは隣接する凹部の間に弾性力により係止される。
【００１７】
【発明の実施の形態】
［第１実施形態］
図１に本発明の第１実施形態が採用された釣竿の元竿１０を示す。
元竿１０は、竿体１１と、竿体１１の周面に竿先側から順に嵌め込まれたフロントグリップ１５，リールシート１３及びリアグリップ１４とを有している。
【００１８】
竿体１１は、炭素繊維等の強化繊維に樹脂を含浸させたシート状プリプレグをマンドレルに巻回して成形された筒状のものであり、穂先側が細いテーパ形状である。竿体１１の外周面には板状に形成された金属製の係止受け部材２７が竿体の軸方向に沿って固定されている。この係止受け部材２７の表面には、竿体１１の周方向に延びる複数の溝２７ａが軸方向に等間隔で形成されている。また、竿体１１外周面には、軸方向に延びるレール（図示せず）が係止受け部材２７を挟む２箇所に形成されている。
【００１９】
フロントグリップ１５は、図１及び図２に示すように、本体部１２と支持部３２と操作部３３と係止部３５とを有している。本体部１２は、竿体１１の外径より僅かに大きい径を有する円筒状に形成された硬質部材２０と、硬質部材２０の外周面に嵌め込まれた弾性を有する軟質部材２１とを有している。硬質部材２０は、ポリエチレンテレフタレート（ＰＥＴ）、ＡＢＳ等の樹脂をブロー成形して得られた部材であり、穂先がやや小径のテーパ状になっている。軟質部材２１は、硬質部材２０と同様のテーパ状の円筒部材であり、ウレタン、ポリスチレン系熱可塑性エラストマー等の弾性体を成形して得られる。硬質部材２０内周面の所定の２箇所には、竿体１１の各レールに係合するための爪（図示せず）が形成されている。これにより、フロントグリップ１５は、各爪が各レールに係合することで竿体１１に対し相対回転不能となりかつ径方向に位置決めされる。本体部１２の長手方向中間部には、硬質部材２０及び軟質部材２１を径方向に貫通して形成された孔３７が形成されている。支持部３２、操作部３３及び係止部３５はこの孔３７内及び下方に配置されている。
【００２０】
支持部３２は、硬質部材２０の下面に固定された基端部３２ａと、操作部３３及び係止部３５を支持するための先端部３２ｂとを有している。
操作部３３は、支持部３２の先端部３２ｂに回動自在に装着されており、閉姿勢（図２の実線部分）と開姿勢（図２の二点鎖線部分）とを採りうる。操作部３３の基端部３３ａは、閉姿勢では係止部３５を下方に押圧可能かつ開姿勢では係止部３５を解除可能となる形状に形成されている。
【００２１】
係止部３５は、操作部３３の下方に基端部３３ａに当接して配置されている。係止部３５は、基端部３５ａと先端部３５ｂとを有する板状部材であり、基端部３５ａと先端部３５ｂとの間で弾性変形可能である。基端部３５ａは支持部３２の先端部３２ｂに支持されている。先端部３５ｂは、竿体１１側に延びて形成された部分であり、係止受け部材２７の複数の溝２７ａに係止可能となっている。
【００２２】
リールシート１３は、図１に示すように、竿体１１の周面に嵌め込まれたネジ部２５と、ネジ部２５に螺合するナット２６と、ナット２６により進退する前シート２９と、前シート２９と対向して配置された後シート２８とを有している。前シート２９と後シート２８との間にリールの取付脚を嵌め込みナット２６を締め込むと、リール（図示せず）が竿体１１に固定される。
【００２３】
リアグリップ１４は、竿体１１の竿尻に嵌め込まれた円筒状部材であり、フロントグリップ１５の本体部１２と同様に、硬質部材及び軟質部材（ともに図示せず）からなる。
このような釣竿では、例えばポンピング等を行う場合は、竿尻を腹等にあてて一方の手でフロントグリップを把持するとともに、竿尻を中心としてフロントグリップを把持した手で竿全体を上下に振る。これにより、釣り人は釣竿の重心のバランスをとりながら竿全体を振ることができる。
【００２４】
また、釣竿が係止状態である場合、操作部３３は閉姿勢を採っており、基端部３３ａが係止部３５を竿体１１側に押圧することで係止部３５の基端部３５ａが係止受け部材２７の溝２７ａに係止されている。これにより、フロントグリップ１５は竿体１１に対し固定されている。この状態から操作部３３を竿元側に回動させて開姿勢にすると、操作部３３の基端部３３ａが回動して係止部３５の押圧状態が解除されるため、係止部３５は自由状態となり溝２７ａから離れる。これにより、フロントグリップ１５は竿体１１に対し軸方向に移動自在となる。この状態で、フロントグリップ１５を所望の位置まで移動させ、操作部３３を前方に回動させて閉姿勢にすると、操作部３３の基端部３３ａが回動して係止部３５が下方に押圧される。これにより、係止部３５が係止受け部材２７の溝２７ａに係止され、フロントグリップ１５は竿体１１に対し固定されることとなる。したがって、釣り人は、好みに応じて、フロントグリップ１５を所望の位置に固定することができる。
【００２５】
［第２実施形態］
図３に本発明の第２実施形態が採用された釣竿の元竿１０の要部を示す。
ここでは、第１実施形態との相違に注目して説明する。
フロントグリップ１５は、本体部１２とボタン５１と係止部材４７とコイルバネ４９とを有している。
【００２６】
竿体１１の外周には、第１実施形態の係止受け部材２７と同様の係止受け部材４１が装着されているが、複数の溝４１ａの断面形状は、穂先側の斜辺が竿元側の斜辺より大きく傾斜したＶ字形状に形成されている。
本体部１２の孔３７内には係止部材４７とコイルバネ４９とボタン５１とを有している。係止部材４７は、図示するような形状の先端部４７ａと後端部４７ｂとを有しており、本体部１２の内周部に回動自在に装着されている。コイルバネ４９は、係止部材４７の後端部４７ｂと本体部１２との間に圧縮状態で配置されており、係止部材４７の後端部４７ｂを下方に付勢している。ボタン５１は、孔３７内に上下動可能に配置されており、係止部材４７の先端部４７ａに当接している。
【００２７】
このような釣竿では、係止状態では、係止部材４７の後端部４７ｂがコイルバネ４９の付勢力を受けて係止受け部材４１の溝に当接することでフロントグリップ１５は竿体１１に対し軸方向に移動不能となっている。この状態で、ボタン５１を押すと、コイルバネ４９の付勢力に抗して係止部材４７が回動し（図３において反時計回り）、係止部４７の後端部４７ｂが係止受け部材４１の溝から離反する。これにより、フロントグリップ１５は竿体１１に対し軸方向に移動自在となる。この状態で、フロントグリップ１５を所望の位置まで移動させ、ボタン５１を離すと、係止部材４７がコイルバネ４９の付勢力を受けて回動し（図３において時計回り）、係止部材４７の後端部４７ｂは係止受け部材４１の溝に再度係止される。これにより、フロントグリップ１５は竿体１１に対し固定される。ここでは、釣り人は、簡単な操作でフロントグリップ１５を迅速かつ容易に所望の位置に固定することができる。
【００２８】
［第３実施形態］
図４に本発明の第３実施形態が採用された釣竿の元竿１０の要部を示す。
ここでは、上記実施形態との相違に注目して説明する。
竿体１１の外周面には環状の係止溝１１ｂが軸方向に並んで複数箇所に形成されている。この係止溝１１ｂは連続した螺旋状の溝であってもよい。なお、この竿体１１には上記実施形態のようなレールは形成されていない。
【００２９】
フロントグリップ１５は、本体部１２と、竿体１１の係止溝１１ａに係止可能な係止突起５５とを有している。係止突起５５は本体部１２の内周面の２箇所に固定されている。係止突起５５は、硬質のゴム製の部材であり、竿体１１外周面（係止溝１１ｂが形成された部分を除く）との間では圧縮状態で配置されるよう内周側に突出して形成されている。この係止突起５５の形状、数等の各設計事項は、特に限定されるものではなく、竿体１１回りに環状に形成されたものであってもよく、また本体部１２内周面に１箇所または３箇所以上に設けられてもよい。なお、この本体部１２には上記実施形態のような爪は設けられていない。
【００３０】
このような釣竿では、フロントグリップ１５は、係止突起５５が係止溝１１ｂに係止されることにより竿体１１に対し所定位置に固定されている。この状態で、フロントグリップ１５に対し軸方向から一定以上の大きさの力を加えると、フロントグリップ１５は、係止突起５５が係止溝１１ｂから外れさらに複数の係止溝１１ｂとの係止及び係止解除を繰り返して、竿体１１に対し軸方向に移動する。そして、所定位置でフロントグリップ１５に加える力を緩めると、係止突起５５が係止溝１１ｂに係止して、フロントグリップ１５が竿体１１に固定される。
【００３１】
［他の実施形態］
（ａ）竿体の外周に、ネジ山が形成された筒状部材が装着され、本体部の内周面にネジ山に係合可能なネジ溝が形成された釣竿であってもよい。この場合、筒状部材の後端には本体部の抜け止めが形成され、前端には、本体部を筒状部材外周に装着した後で抜け止めとなる筒状部材がさらに装着される。
【００３２】
（ｂ）竿体外周部及びフロントグリップ内周部を、断面が楕円形状となるよう形成し、かつ、フロントグリップが竿体外周に装着されたときに竿体と本体部との間に所定の隙間が生じるよう形成した釣竿であってもよい。この釣竿では、フロントグリップを把持して竿体に対し相対回転させることにより、竿体外周部をフロントグリップ内周部に嵌合及び嵌合解除することができる。
【００３３】
【発明の効果】
本発明によれば、釣り人の好みに応じて、フロントグリップを竿体に対し所望の位置に固定することができる。
【図面の簡単な説明】
【図１】本発明の第１実施形態が採用された元竿の部分側面図。
【図２】前記元竿の要部縦断面図。
【図３】本発明の第２実施形態が採用された元竿の要部側面図。
【図４】本発明の第３実施形態が採用された元竿の要部側面図。
【符号の説明】
１１  竿体
１５  フロントグリップ
【図１】
0004354094.tif 000002
【図２】
0004354094.tif 000003
【図３】
0004354094.tif 000004
【図４】
0004354094.tif 000005